(57)【要約】      （修正有）【課題】インタラクティブ方式コンタクトレンズシミュレーションシステム及び方法を提供する。【解決手段】プロセッサを含むユーザーインタラクティブ方式デバイスと、格納デバイスとを含み、この格納デバイスは、ユーザーインタラクティブ方式デバイスにビューイングエリアを表示し、ユーザーインタラクティブ方式デバイスに、１つの目の表示を有するデジタル画像を表示し、ユーザーによって連動されたときにユーザーインタラクティブ方式デバイス上のデジタル画像を修正するように構成される画像操作ツールを、ユーザーインタラクティブ方式デバイスに表示し、コンタクトレンズの１つのグラフィック表示を、ユーザーインタラクティブ方式デバイスに表示し、ユーザーによって連動されたときにコンタクトレンズの前記グラフィック表示を修正するように構成されるレンズ操作ツールを表示するよう動作される実行可能コードを格納するものである。【選択図】図１
2010211210.tif 000002
【特許請求の範囲】
【請求項１】
インタラクティブ方式コンタクトレンズシミュレーションシステムにおいて、
プロセッサを含むユーザーインタラクティブ方式デバイスと、
実行可能コードを格納する格納デバイスと、を備え、
前記実行可能コードは、
要求に応じて実行可能であり、
ユーザーインタラクティブ方式デバイスにビューイングエリアを表示し、
ユーザーインタラクティブ方式デバイスに、少なくとも１つの目の表示を有するデジタル画像を表示し、
ユーザーによって連動されたときにユーザーインタラクティブ方式デバイス上のデジタル画像を修正するように構成される少なくとも１つの画像操作ツールを、ユーザーインタラクティブ方式デバイスに表示し、
ユーザーによってユーザーインタラクティブ方式デバイス上で移動可能となるように構成されるコンタクトレンズの少なくとも１つのグラフィック表示を、ユーザーインタラクティブ方式デバイスに表示し、
ユーザーによって連動されたときにコンタクトレンズの前記少なくとも１つのグラフィック表示を修正するように構成される少なくとも１つのレンズ操作ツールを、ユーザーインタラクティブ方式デバイスに表示する、
ように前記プロセッサによって動作可能である、インタラクティブ方式コンタクトレンズシミュレーションシステム。
【請求項２】
前記デジタル画像が、ヒトの右目のグラフィック表示とヒトの左目のグラフィック表示とを含み、コンタクトレンズの前記少なくとも１つのグラフィック表示が、右コンタクトレンズのグラフィック表示と左コンタクトレンズのグラフィック表示とを含むものである、請求項１に記載のインタラクティブ方式コンタクトレンズシミュレーションシステム。
【請求項３】
前記少なくとも１つの画像操作ツールが、サイズ、位置、エンハンスメント、ズーム、輝度、透視角、フレームタイプ、線、形状、色、バリュー、テクスチャ、パターン、光度、及びホログラフィー効果からなる群から選択される、請求項１に記載のインタラクティブ方式コンタクトレンズシミュレーションシステム。
【請求項４】
前記少なくとも１つのレンズ操作ツールが、左サイズ、右サイズ、左瞼調整、右瞼調整、左右サイズ同期、左右瞼調整同期、レンズ色、スタイル、エンハンスメント、及び透明性からなる群から選択される、請求項１に記載のインタラクティブ方式コンタクトレンズシミュレーションシステム。
【請求項５】
前記ユーザーインタラクティブ方式デバイスが、前記デジタル画像を格納するように構成されるデータベースを更に含む、請求項１に記載のインタラクティブ方式コンタクトレンズシミュレーションシステム。
【請求項６】
ダウンロードツールを表示するために前記プロセッサによって動作される実行可能コードを更に含むものであり、前記ダウンロードツールが、ユーザーのコンピュータと通信してデジタル画像を格納するように構成される、請求項１に記載のインタラクティブ方式コンタクトレンズシミュレーションシステム。
【請求項７】
印刷ツールを表示するために前記プロセッサによって動作される実行可能コードを更に含むものであり、前記印刷ツールが、ユーザーのコンピュータと通信してデジタル画像を印刷するように構成される、請求項１に記載のインタラクティブ方式コンタクトレンズシミュレーションシステム。
【請求項８】
前記デジタル画像が、デジタル画像ファイル、デジタルビデオファイルフレーム、デジタルビデオフィードフレーム、及びデジタルビデオストリームフレームからなる群から選択される、請求項１に記載のインタラクティブ方式コンタクトレンズシミュレーションシステム。
【請求項９】
前記デジタル画像が、一連のデジタル画像であり、前記一連のデジタル画像が、デジタルビデオファイル、デジタルビデオフィード、及びデジタルビデオストリームからなる群から選択される、請求項１に記載のインタラクティブ方式コンタクトレンズシミュレーションシステム。
【請求項１０】
少なくとも１つの共有ツールを表示するために前記プロセッサにより動作される実行可能コードを更に含むものである、請求項１に記載のインタラクティブ方式コンタクトレンズシミュレーションシステム。
【請求項１１】
インタラクティブ方式コンタクトレンズシミュレーション方法において、
目の少なくとも１つの表示を含む少なくとも１つのデジタル画像をユーザーから受信することと、
前記少なくとも１つのデジタル画像を表示するように構成されるビューイングエリアを提供することと、
前記少なくとも１つのデジタル画像を修正するように構成される少なくとも１つの画像操作入力をユーザーから受信することと、
ユーザーによって移動可能なように構成されるコンタクトレンズの少なくとも１つのグラフィック表示を提供することと、
コンタクトレンズの前記少なくとも１つのグラフィック表示を修正するように構成される少なくとも１つのレンズ操作入力をユーザーから受信することと、を含む、インタラクティブ方式コンタクトレンズシミュレーション方法。
【請求項１２】
目の前記少なくとも１つの表示が、右目の表示と左目の表示とを含み、コンタクトレンズの前記少なくとも１つのグラフィック表示が、右コンタクトレンズのグラフィック表示と左コンタクトレンズのグラフィック表示とを含む、請求項１１に記載のインタラクティブ方式コンタクトレンズシミュレーション方法。
【請求項１３】
前記少なくとも１つの画像操作入力が、サイズ、位置、エンハンスメント、ズーム、輝度、透視角、フレームタイプ、線、形状、色、バリュー、テクスチャ、パターン、光度、及びホログラフィー効果からなる群から選択される、請求項１１に記載のインタラクティブ方式コンタクトレンズシミュレーション方法。
【請求項１４】
前記少なくとも１つのレンズ操作入力が、左サイズ、右サイズ、左瞼調整、右瞼調整、左右サイズ同期、左右瞼調整同期、色、スタイル、エンハンスメント、透明性、線、形状、バリュー、テクスチャ、パターン、光度、及びホログラフィー効果からなる群から選択される、請求項１１に記載のインタラクティブ方式コンタクトレンズシミュレーション方法。
【請求項１５】
前記デジタル画像をデータベースに格納することを更に含む、請求項１１に記載のインタラクティブ方式コンタクトレンズシミュレーション方法。
【請求項１６】
前記デジタル画像を前記データベースから回収することを更に含む、請求項１５に記載のインタラクティブ方式コンタクトレンズシミュレーション方法。
【請求項１７】
ダウンロード入力をユーザーから受信することを更に含み、前記ダウンロード入力が、ユーザーのコンピュータに前記デジタル画像を格納するように構成される、請求項１１に記載のインタラクティブ方式コンタクトレンズシミュレーション方法。
【請求項１８】
印刷入力をユーザーから受信することを更に含み、前記印刷入力が、前記デジタル画像を印刷するためにユーザーのコンピュータと通信するように構成される、請求項１１に記載のインタラクティブ方式コンタクトレンズシミュレーション方法。
【請求項１９】
前記少なくとも１つのデジタル画像が、デジタル画像ファイル、デジタルビデオファイルフレーム、デジタルビデオフィードフレーム、デジタルビデオストリームフレーム、デジタルビデオファイル、デジタルビデオフィード、及びデジタルビデオストリームからなる群から選択される、請求項１１に記載のインタラクティブ方式コンタクトレンズシミュレーション方法。
【請求項２０】
少なくとも１つの共有入力をユーザーから受信することを更に含む、請求項１１に記載のインタラクティブ方式コンタクトレンズシミュレーション方法。
【発明の詳細な説明】
【開示の内容】
【０００１】
（著作権情報）
本特許の開示の一部は、著作権保護の適用を受ける資料を含む。著作権者は、特許文献又は特許の開示が特許庁のファイル又は記録に出る場合は、それらを何人が複製しても異議はないが、そうでなければいかなる著作権も全て留保する。
【０００２】
〔技術分野〕
本発明は、シミュレーションシステムに関するものであり、より具体的には、インタラクティブ方式コンタクトレンズシミュレーションシステム及び方法に関する。
【０００３】
〔背景情報〕
コンタクトレンズは比較的実用的であるため、従来のメガネに代わる視覚補正装置として長年使用されてきた。コンタクトレンズは、通常、補正的及び／又は治療的性質のために着用されるが、目の外観を変更する色及び／又は色付け特性を含む、外観を変更する効果のためにも着用される。着用者はしばしば、色付け及び／又は着色特性を有する補正コンタクトレンズを選ぶが、外観を変更する効果のみのために着用されるコスメティックコンタクトレンズの使用も大幅に増加してきている。視覚を補正するための屈折又は処方的性質を持たず、目の外観を変更することのみを目的とするコンタクトレンズは、しばしば「プラノレンズ（planos）」と呼ばれる。プラノレンズは、単に目の知覚色を変更しようとする、健康な目を持つ人々によって着用されることが多いが、目の異常及び／又は欠損症の影響を軽減することを求める人々にも有用である。例えば、眼白子症は、虹彩及び／又は網膜のメラニンレベルが激しく低下している又は完全に欠如していることによって生じ得るもので、目が不自然に赤色又はピンク色に見える。もう一つの目の症状は異色症であり、一方の虹彩がもう一方の虹彩と異なる色である、又は一つの虹彩の一部がその虹彩の残りの部分と異なる色である。いずれのケースでも、あるいは類似した目の症状のケースでも、目の外観を適切かつ効果的に調整するために、人は着色及び／又は色付けされたコンタクトレンズを必要とする場合がある。
【０００４】
着色及び／又は色付けされたコンタクトレンズを着用することが見込まれる人々の多くは、コンタクトレンズが着用者の外観に与える効果を予測することができないために、それらのコンタクトレンズを購入することを躊躇する。したがって、着用が見込まれる人々はしばしば、どのレンズの色が自分を最も引き立たせるかを自分で決定するために、入手可能な色の多く又は場合によっては全てを試着する。この伝統的な試行錯誤の慣習は、診断トライヤルレンズの実質的な経済的及び物質的無駄とともに、着用者及び眼科医の時間の重大な乱用をもたらす。
【０００５】
当該技術分野では、ユーザーの身体的特徴に最も似たモデルと、１つ以上のカラーコンタクトレンズペアとをユーザーが選び、カラーレンズの効果がそのモデルの外観に与える影響を観察するシステムが開発されてきた。しかし、これらのシステムは、カラーコンタクトレンズの着用が見込まれる個々にとって個人的なものではないので、有用性に欠ける。更に、これらのシステムは、例えばリッドクロッピング（lid-cropping）及びレンズサイズ調整のような機能を提供できないので、一般に、効果的でないシミュレーションをもたらす。
【０００６】
したがって、カラーコンタクトレンズで変更されたときのユーザー個人の外観をシミュレートした画像をユーザーにもたらすことができる効果的なコンタクトレンズシミュレーションシステムの必要性がある。
【図面の簡単な説明】
【０００７】
これら及び他の特徴及び利点は、図と共に以下の詳述を読むことによってよりよく理解されるであろう。
【図１】システム概略図を図示。
【図２】紹介コンテンツ画面ページのスクリーンショットを図示。
【図３】アンケートコンテンツ画面ページのスクリーンショットを図示。
【図４】アップロード機能コンテンツページを図示。
【図５】画像及びレンズ操作のコンテンツページを図示。
【図６】フレーム選択コンテンツページを図示。
【図７】共有機能コンテンツページを図示。
【図８】シミュレーション画像送信機能コンテンツページを図示。
【図９】実施例のシステムフレームワークを本発明のいくつかの観点と共に図示。
【０００８】
〔詳細な説明〕
図１を参照すると、インタラクティブ方式コンタクトレンズシミュレーションシステム２の一実施形態のシステム概略図が、紹介表示工程４から始まりアップロード工程８、画像及びレンズ操作工程１０、ダウンロード工程１４へ続くシステムフローを概して含むものとして示されている。システムは、この流れの任意の点でアンケート工程６を含むこともできるが、図１では、紹介表示工程４の後でありアップロード工程８の前にアンケート工程６がある。システムは、図１に図示されるダウンロード工程１４の代わりに、又はそれと併せて、又はその前に、又はその後に、印刷工程１６又は他者に電子メール送信する工程１５を含むことができる。所望により、システムはデジタル画像アップロード情報工程７を、画像及びレンズ操作工程１０の前の任意の点に含むことができるが、好ましくは、アップロード工程８と共に又はその直前に含む。また、所望により、他の関係ある工程３は、とりわけ会社信条若しくは使命声明の表示、法的情報の表示、守秘権に関する声明の表示、又は無料トライヤル提出工程１８など、を含むことができる。システムは、下に詳述するように、それぞれの工程のスクリーン表示を更に含むことができる。
【０００９】
図２〜９を参照すると、シミュレーションシステム２の例示的実施形態は、実質的に全ての処理を担うサーバーと通信するために、ＨＴＴＰリクエストを活用したクライアント／サーバーアーキテクチャーにて実施され得る。しかし、好ましくは、シミュレーションシステムは、例えばフラッシュ（Flash）、カール（Curl）、又はシルバーライト（Silverlight）のようなプラグインを含むことができるリッチ・インターネット・アプリケーション（「ＲＩＡ」）プラットフォームを介して実施され得る。ＲＩＡは、例えばクライアントエンジンを活用することによって、サーバーと非同期通信するために、インスタンス化の一環としてダウンロードされたパーソナルコンピュータステーション又はモバイル電子機器のブラウザ環境で実行できる。次に、この非同期通信は、有利なことに、ユーザーとウェブベースアプリケーションとの間の実質的に実時間のインターアクションを可能にするプレフェッチングのようなタスクを実行することができる。ＲＩＡの活用は、ドラッグ・アンド・ドロップ式アップロードのような機能を可能にすることによって、及びスライダ及びズームツールのような機能の効果を増すことによって、ユーザーの体験の改善をもたらすことができる。更に、タスクの実行がクライアントエンジンへシフトされることと、比較的多くのクライアントリクエストの取り扱いが、非同期通信技術を用いることで同時に同じサーバーによって可能となることとの両方によって、サーバー効率が向上する。
【００１０】
具体的に図２を参照すると、システム２４の工程の説明と、図２に図示されるスタートボタン２２のような、ユーザーが続行することを許すための手段とを有する、例示的な任意の紹介コンテンツページ２０の一実施形態が図示されている。このシステムは上述のソフトウェアとして実施されてよく、この場合、紹介画面表示はブラウザのウェブページ、又はより好ましくは、ＲＩＡのコンテンツページ若しくはフレームであってよい。スタートボタン２２は、別のウェブ又はシステム２のコンテンツページとリンクすることができるので、ユーザーは例えばマウス、トラックボール又はキーボードのようなユーザーインターフェイスデバイスを介してスタートボタン２２を連動してシステム２の別のコンテンツページを紹介コンテンツページ２０の代わりに又はオーバーレイとして又は新しいブラウザウィンドウにロードすることができる。同様に、他の関係するリンク２３は、図２が示すような紹介コンテンツページ２０に関連付けられてもよい。
【００１１】
図２に図示されるスタートボタン２２のようなボタンをクリックすることにより、任意のアンケートコンテンツページ３０がユーザーに対して表示される（図３に一例が図示されている）。好ましくは、アンケートコンテンツページ３０は、少なくとも半透明であるようにオーバーレイ３２として表示される。半透明であることはアンケートが任意及び／又は暫定的であるという印象をユーザーに与え、アンケートがユーザーによって記入されて提出される又は閉じられると同時に、ＲＩＡはアップロード機能コンテンツページ４０のような別のページをすばやく表示させる。アンケートコンテンツページ３０は、性別、年齢層、視覚補正の必要性、コンタクトレンズへの関心、及び無料トライヤルへの関心のような質問３４を含むことができる。それぞれの質問３４は、ユーザーによる提出に際しデータベースに入力することなどでデータがクライアントエンジン及び／又はサーバーによって格納されることによりデータが後のアクセスのために利用可能になるように、例えばラジオボタン、ドロップダウンメニュー又はチェックボックスのような１つ以上の入力デバイスと関連付けられてよい。年齢選択３６のためのドロップダウンメニュー及びコンタクトレンズへの関心３８のドロップダウンメニューは、入力デバイスの例としての図３に図示される。提出は、図３に図示されるようにＮＥＸＴ（次へ）ボタン３７のようなボタンをユーザーが連動させることによって達成され得る。ＮＥＸＴ（次へ）ボタン３７は、ユーザーによって入力されたデータをクライアントエンジン及び／又はサーバーに格納させるため、並びに図４に示されるようにアップロード機能コンテンツページ４０を表示させるための両方のために構成され得る。
【００１２】
図４〜９を参照すると、それぞれのコンテンツページは、ユーザーによってアップロードされユーザーによって操作されるデジタル画像を表示するように構成されたビューイングエリア４２を含むことができる。それぞれのコンテンツページは、工程群のようなプロセスインジケータ４４、及び図４に図示される太字の、又は例えば異なる色のような、現在の工程４３もまた含むことができる。それぞれのコンテンツページは、他の関係するリンク９、並びにリベート又は無料トライヤル提出ページ５のようなプロモーショナルページへのリンクもまた含むことができる。
【００１３】
一実施形態では、システムは、図４に図示されるようにアップロード／ロード機能コンテンツページ４０を表示させることによって、上述のように図１に図示されるようにアップロード工程８へ進むことができる。アップロード機能コンテンツページ４０は、デジタル画像のアップロード又は例えば、ライブ又は実時間のビデオフィード又は複合ビデオのような一連のデジタル画像のロードのための手段を含むことができる。様々な実施形態が、実施例のデジタル画像又はそれと同義のデジタル写真を用いて説明されてきたが、別の方法として例えば、デジタルビデオファイルの形式のデジタル画像群をアップロードするか又はストリーミングビデオフィードをロードするように、このインタラクティブ方式コンタクトレンズシミュレーションシステム２を構成できることを理解されたい。デジタル画像は、ビデオファイル又はビデオフィードの単一の画像／フレームであってもよい。少なくとも１つのデジタル画像をアップロード／ロードするための手段は、アップロード機能コンテンツページ４０に画定されたブラウズボタン４１、リンク、又は入力ソースを含むことができる。一実施形態では、ユーザーがファイルシステムを検討してシミュレーションシステムに使用されるデジタル画像ファイル又はビデオファイルを選択することができるように、ブラウズボタン４１はユーザーのコンピュータのファイルシステムを表示するように構成されることができる。別の実施形態では、入力ソースボタンは、ライブ又は実時間のビデオフィードのアドレスを受信するように構成されることができる。別の方法で、又はブラウズボタン４１と共に、アップロード機能は、シミュレーションシステムに使用されるデジタル画像のローカルアドレスを表すテキストストリーム入力４５によって実行され得る。また別の方法では、デジタル画像をアップロードするための手段は、デジタル画像を表すアイコンがエリア上にドラッグされドロップされたときにそのデジタル画像がクライアントエンジン及び／又はサーバーによってアップロードされるように、アップロード機能コンテンツページ上に画定されるエリアを含むことができる。写真の選択に関する助言を表示するために、任意の助言ボタン又はリンク４６が提供されてよく、この助言リンク４６は、好ましくは、オーバーレイに助言のテキストが表示されるように構成される。アップロード機能コンテンツページは、ユーザーによって選択されたデジタル画像をクライアントエンジン及び／又はサーバーが少なくとも一時的にデータベースのようなものに格納するように構成されたアップロード提出ボタン４８もまた含むことができる。ユーザーによって選択されたデジタル画像は、システム開発者によって特定された仕様と一致しない場合があるので、アップロード提出ボタン４８は、上述のような助言コンテンツページを表示するようにも構成され得る。ファイルタイプ、ファイルサイズ、及び写真サイズのような仕様はシステムで定義され、システムで制御され得るので、最適なシステム性能を可能にする。例えば、過度の写真サイズでは、ユーザーが画像を操作する際、クライアントエンジン及び／又はサーバーが非常に多数のピクセルを処理しなくてはならないので、システムの動作が遅くなる可能性がある。したがって、好ましくは、ファイルタイプはＪＰＥＧファイルであり、ファイルサイズは１メガバイト以下であり、写真サイズは６００×８００ピクセルである。システム仕様に対応する適切なデジタル画像ファイルをユーザーが選択すると、アップロード提出ボタン４８は画像及びレンズ操作コンテンツページ５０（一例を図５に図示）を表示させることができる。別の方法としては、ＮＥＸＴ（次へ）ボタンとの連動によって別のコンテンツページがユーザーに対して表示されるように、ＮＥＸＴ（次へ）ボタン又はリンクがアップロード機能コンテンツページを処置してもよい。しかし、好ましくは、アップロード提出ボタン４８及びＮＥＸＴ（次へ）ボタンは、図４に図示されるように同一のボタン４８である。
【００１４】
一実施形態では、ユーザーによるデジタル画像の提出に際し、上述のように図１に図示される画像及びレンズ操作工程１０を表すものとして、図５に図示されるような画像及びレンズ操作コンテンツページ５０が表示されるようにすることができる。別の実施形態では、別のコンテンツページを表示して、画像操作機能及びレンズ操作機能を表すことができる。図５に図示される実施形態では、ユーザーによって先にアップロードされた少なくとも１つのデジタル画像をビューイングエリア４２に表示することができ、コンタクトレンズ５１ａ、５１ｂの少なくとも１つのグラフィック表示もまた、このビューイングエリアに表示することができる。好ましくは、コンタクトレンズ５１ａ、５１ｂの２つのグラフィック表示がこのビューイングエリアに表示され、このグラフィック表示５１ａ、５１ｂはユーザーインターフェイスデバイスを介してユーザーが連動して動かすように構成され、コンタクトレンズのうち１つは左のコンタクトレンズ５１ａのグラフィック表示であり、もう一方のコンタクトレンズは右のコンタクトレンズ５１ｂのグラフィック表示である。
【００１５】
画像及びレンズ操作コンテンツページ５０は、少なくとも１つの画像操作ツール５４もまた含むことができる。画像操作ツール５４は、少なくとも１つのボタン、スライダ、又は他の任意の触覚インターアクション式の操縦者方法によってグラフィック表示され得る。例示の写真サイズボタン５４ａ及び写真位置ボタン５４ｂが図５に図示されている。しかし、画像操作ツール５４は、例えば、画像の光度、線、形状、バリュー（明度又は暗度）、テクスチャ、又はパターンを個別に又は一緒にもたらすように構成され得る。写真サイズボタン５４ａ及び写真位置ボタン５４ｂは、ビューイングエリア４２に重なって示されているが、画像及びレンズ操作コンテンツページ５０の任意の位置に配置され得る。４つの方向矢印として図５に図示された写真位置ボタン５４ｂの連動に際し、例えば、どの矢印が連動されるかに依存してユーザーによって指示されるようにデジタル画像がビューイングエリア４２に移動するように、デジタル画像を構成することができる。同様に、プラス記号及びマイナス記号として図５に図示された写真サイズボタン５４ａの連動に際し、例えば、どの記号が連動されるかに依存してユーザーによって指示されるようにデジタル画像が拡大又は縮小されてビューイングエリア４２に表示されるように、デジタル画像を構成することができる。他の画像操作ツール５４としては、例えば、輝度ツール、画像エンハンスメントツール、透視角視野ツール、又はフレームタイプツールが挙げられる。
【００１６】
画像及びレンズ操作コンテンツページ５０は、ユーザーによってユーザーインターフェイスデバイスを介して連動されたときにコンタクトレンズのグラフィック表示５１ａ、５１ｂを修正するように構成される少なくとも１つのレンズ操作ツール５８もまた含むことができる。レンズ操作ツール５８は、少なくとも１つのボタン、スライダ、又は他の任意の触覚インターアクション式の操縦者方法によってグラフィック表示され得る。例示のレンズ色操作ツール５８ａは、コンタクトレンズの異なる色を表示する一連のボタンとして図示されている。しかし、レンズ操作ツール５８は、例えば、コンタクトレンズの光度、線、形状、バリュー（明度又は暗度）、テクスチャ、又はパターンを別個に又は一緒にもたらすためにも構成され得る。所望により、ユーザーは目の色ボタン５６を介して現在の自然な目の色を選択することができ、システムはこの自然な目の色のために適切なレンズ色を、図５に図示されるように一連のレンズ色ボタン５８ａとして提示することができる。また所望により、レンズ色操作ツール５８ａは、色の全スペクトルを表示するスライダでもよく、ユーザーによるこのスライダを使った連動は、適切な対応する変化をコンタクトレンズ５１ａ、５１ｂのグラフィック表示の色にもたらすことができる。図５に図示された例示のレンズサイズスライダ５８ｂ及びレンズ眼瞼スライダ５８ｃは、コンタクトレンズ５１ａ、５１ｂのグラフィック表示のサイズの増大及び縮小と、虹彩又は他の任意の目の部分の潜在的な眼瞼の重なりのためのグラフィック表示５１ａ、５１ｂの境界の調整との両方のために、それぞれ構成され得る。図５に図示されるスライダは、左５１ａ及び右５１ｂのそれぞれのグラフィック表示のために分離されたスライダでも、両方のグラフィック表示５１ａ、５１ｂのためのサイズスライダ及び眼瞼調整スライダでもよい。前記スライダを分離する場合は、ユーザーによる同期ツール５９の連動が左又は右レンズ操作ツール５８のいずれかとの任意のユーザーインターアクションを引き起こして実質的に同じ方法で両方のコンタクトレンズ表示５１ａ、５１ｂをもたらすように、図５にチェックボックスボタンとして図示された少なくとも一つの同期ツール５９ａ、５９ｂが提供され得る。したがって、レンズ操作ツール５８の例としては、左サイズ、右サイズ、左眼瞼調整、右瞼調整、左右サイズ同期、左右瞼調整同期、色、スタイル、エンハンスメント、及び透明性が含まれるが、これらに限定されない。
【００１７】
図５に図示された画像及びレンズ操作コンテンツページ５０は、ＢＡＣＫ（戻る）５２及びＮＥＸＴ（次へ）５７ボタン又はリンクもまた含むことができ、ユーザーによるこれらのボタン５２、５７の連動は、それぞれ、前及び次のコンテンツページをユーザーに表示することができる。好ましい実施形態では、ユーザーによるＢＡＣＫ（戻る）ボタン５７の連動はユーザーに対してアップロード機能コンテンツページ４０が表示されるようにすることができ、ユーザーによるＮＥＸＴ（次へ）ボタン５７の連動は、フレーム選択ページ６０が表示されるようにすることができるが、バリエーションも可能である。ユーザーによるＮＥＸＴ（次へ）ボタン５７の連動は、クライアントエンジン及び／又はサーバーに現在のビューイングエリア４２を保存させて、次のコンテンツページと共にそれを再表示させることができる。別の方法としては、クライアントエンジンはビューイングエリア４２の周囲に次のコンテンツページを再表示して、ビューイングエリア４２の再表示が必要ないようにすることができる。
【００１８】
一実施形態では、フレーム選択コンテンツページ６０が、上の図１に図示されるようにフレーム選択工程１２を表すものとして、図６に示されるように表示され得る。しかし、フレーム選択は、上述のような画像操作ツールの使用を介してシステムに組み込まれてもよい。任意のフレーム選択コンテンツページ６０がシステムで使用される場合は、複数のフレーム６２をグラフィック表示して、ユーザーによるフレーム６２のグラフィック表示の連動は、ビューイングエリア４２に前記フレームの表示をもたらすことができる。所望により、デフォルト６４は、フレーム選択コンテンツページ６０を去る前にユーザーがフレームを選択できなかった場合にクライアントエンジン及び／又はサーバーがフレーム６２なしにビューイングエリアの保存することができるように、フレームなしであってもよい。
【００１９】
図６に図示されたフレーム選択コンテンツページは、ＢＡＣＫ（戻る）６６及びＮＥＸＴ（次へ）６８ボタンもまた含むことができ、ユーザーによるボタン６６，６８の連動は、それぞれ、前及び次のコンテンツページを表示することができる。好ましい実施形態では、ユーザーによるＢＡＣＫ（戻る）ボタン６６の連動はユーザーに対する画像及びレンズ操作コンテンツページ５０の表示をもたらすことができ、ユーザーによるＮＥＸＴ（次へ）ボタンの連動は共有機能コンテンツページ７０の表示をもたらすことができるが、バリエーションも可能である。ユーザーによるＮＥＸＴ（次へ）ボタン６８の連動は、クライアントエンジン及び／又はサーバーに現在のビューイングエリア４２を保存させて、次のコンテンツページと共にそれを再表示させることもできる。別の方法としては、クライアントエンジンはビューイングエリア４２の周囲に次のコンテンツページを再表示して、ビューイングエリア４２の再表示が必要ないようにすることができる。一実施形態では、共有機能コンテンツページ７０は、上述のように図１に示されたダウンロード工程１４の表示として、図７に図示されるように表示され得る。しかし、例えば、ボタン又はリンクとして、ダウンロード及び／又は印刷ツールを画像及びレンズ操作コンテンツページ５０及び／又はフレーム選択コンテンツページ６０に組み込むこともできる。好ましい実施形態では、ダウンロード及び／又は印刷ツールが共有機能コンテンツページ７０に提供されるので、ユーザーによる例えば前記ボタン又はリンクの連動により、クライアントエンジン及び／又はサーバーがダウンロード入力及び／又は印刷入力を受信してユーザーのコンピュータ、より具体的にはそのコンピュータのオペレーティングシステムへその入力を送信するので、コンピュータはデジタル画像をダウンロード及び／又は印刷することができる。例示のダウンロードボタン７２が図７に図示されている。ユーザーによるダウンロードボタン７２の連動は、ユーザーのコンピュータのオペレーティングシステムがそのコンピュータのファイルシステムの表示をもたらすことを可能にするので、ユーザーはファイル名及び／又はフォルダを選択して、当該技術分野で周知のように画像を格納することができる。ユーザーによる印刷ボタン７４の連動は、オペレーティングシステムに印刷コマンドを発令させ、付属の又はネットワークのプリンターに、ユーザーの入力及び／又は好みにしたがって当該技術分野で周知のように画像を印刷させることができる。ダウンロード又は印刷される画像は、図７に示された共有機能コンテンツページ７０のビューイングエリア４２に示された画像のような、対応するそれぞれのコンテンツページの現在のビューイングエリア４２に示される画像であってよい。次に、ダウンロードされたデジタル画像を、眼科医と電子的に共有すること、又は印刷された画像を物理的に共有することができ、それにより、着用者の好みのコンタクトレンズコンポジションを決定するために着用者及び前記眼科医の両方に要求される時間及び労力を大幅に削減することができる。共有機能コンテンツページ７０は、例えば少なくとも１つのボタン又はリンクのような少なくとも１つの共有ツール（図示せず）を含むこともできるので、ユーザーによるそのボタン又はリンクの連動は、クライアントエンジン及び／又はサーバーが、例えばＲＳＳ（Really Simple syndication）のようなシンジケーションによって又は社会的媒体配布によってデジタル画像の共有をもたらすことを可能にする。
【００２０】
図７に示された共有機能コンテンツページ７０は、ＢＡＣＫ（戻る）７６及びＮＥＸＴ（次へ）７８ボタンも含むことができ、ユーザーによるこれらのボタン７６、７８の連動は、それぞれ、ユーザーに対する前及び次のコンテンツページの表示をもたらすことができる。好ましい実施形態では、ユーザーによるＢＡＣＫ（戻る）ボタン７６の連動はユーザーに対してフレーム選択コンテンツページ６０の表示をもたらすことができ、ユーザーによるＮＥＸＴ（次へ）ボタン７８の連動は、アップロード機能コンテンツページ４０の表示をもたらすことができ、それによってシステムを効果的に再起動するが、バリエーションも可能である。
【００２１】
一実施形態では、共有機能コンテンツページ７０は、例えば図７に示されるボタンのような他者への電子メールツール７３もまた含むことができる。他者への電子メールツール７３がユーザーによって連動されると、現在ビューイングエリア４２にある画像がクライアントエンジン及び／又はサーバーによって少なくとも一時的に格納されると共に、シミュレーション画像送信機能コンテンツページ８０が図８に示されるように表示される。シミュレーション画像送信機能コンテンツページ８０は、複数の入力テキストボックス８２を含むことができるので、ユーザーは、前に格納した画像を、送信すべき相手に向けて送ることができる。例えば、眼科医に画像を送信することは、上述のように、コンタクトレンズに関するユーザーの好みの決定における有意な時間及び労力を節約することができる。ユーザーによる提出ボタン８４の連動によってクライアントエンジン及び／又はサーバーが、ユーザーによって指示された特定の電子メールアドレス宛に電子メールを送信することができるように、提出ボタン８４又はリンクをシミュレーション画像送信機能コンテンツページ８０に提供することが可能である。提出ボタン８４は、共有機能ページ７０を図７に示されるように表示させ、アップロード機能コンテンツページ４０を図４に示されるように表示させることによってシステムを効果的に再起動すること、又はウェブブラウザを閉じさせることによって例えばセッションを終了することもできる。
【００２２】
図９を参照すると、ネットワーク９０と、ユーザーインタラクティブ方式デバイス９６と、格納デバイス９４を有するサーバー９２とを含む例示のシステム２フレームワークが示されている。インタラクティブ方式コンタクトレンズシミュレーションシステム２の一実施形態では、ネットワーク９０はインターネットのような広域ネットワークであり、サーバー９２はウェブサーバーである。しかし、別の実施形態では、ネットワーク９０はローカルエリアネットワーク又は他の任意のタイプの通信インフラストラクチャでもよく、更に別の実施形態では、システム２にネットワークが利用されない。システム２は、デジタルカメラ９６ａ、デスクトップパーソナルコンピュータ９６ｂ、タブレットパーソナルコンピュータ９６ｃ、セル式電話又はスマートフォン９６ｄ、パーソナルデジタルアシスタント９６ｅ、ラップトップパーソナルコンピュータ９６ｆ、又は例えばプロセッサを有する他の任意のデジタル機器のようなプロセッサを有する、ユーザーインタラクティブ方式デバイス９６を含むことができる。インタラクティブ方式コンタクトレンズシミュレーションシステム２は、磁気格納デバイス（例えば磁気テープ及び／又はハードディスクドライブ）、光学格納デバイス、ランダムアクセスメモリ（ＲＡＭ）及び／若しくはリードオンリーメモリ（ＲＯＭ）のような半導体メモリデバイス、又は実行可能なコードを格納することができる他の任意のタイプのメモリのような、格納デバイス９４もまた含むことができる。格納デバイス９４は、サーバー９２に、及びユーザーインタラクティブ方式デバイス９６に、少なくとも１つのネットワーク化されたユーザーインタラクティブ方式デバイスによってアクセス可能なネットワークリソースとして、又は例えばフラッシュメモリカード又はコンパクトディスクのような取り外し可能な格納デバイスとして、配置することができる。好ましい実施形態では、サーバー９２は、上述のようにシステム２の様々なコンテンツページをユーザーインタラクティブ方式デバイス９６に表示するためにウェブ化されたユーザーインタラクティブ方式デバイス９６のプロセッサでインターネットを介して動作するように構成された実行可能コードを格納するハードディスク格納デバイス９４を有するウェブサーバーである。
【００２３】
本発明の原則が本書に説明されてきたが、この説明は本発明の範囲の限定としてではなくあくまで例として述べられていることを当業者は理解されたい。本書で図示及び説明された例示的実施形態に加えて、本発明の範囲内で他の実施形態が想到される。当業者による修正及び置換は、以下の請求項によってのみ限定される本発明の範囲に含まれるものと見なされる。
【００２４】
〔実施態様〕
（１）  インタラクティブ方式コンタクトレンズシミュレーションシステムにおいて、
プロセッサを含むユーザーインタラクティブ方式デバイスと、
実行可能コードを格納する格納デバイスと、を備え、
前記実行可能コードは、
要求に応じて実行可能であり、
ユーザーインタラクティブ方式デバイスにビューイングエリアを表示し、
ユーザーインタラクティブ方式デバイスに、少なくとも１つの目の表示を有するデジタル画像を表示し、
ユーザーによって連動されたときにユーザーインタラクティブ方式デバイス上のデジタル画像を修正するように構成される少なくとも１つの画像操作ツールを、ユーザーインタラクティブ方式デバイスに表示し、
ユーザーによってユーザーインタラクティブ方式デバイス上で移動可能となるように構成されるコンタクトレンズの少なくとも１つのグラフィック表示を、ユーザーインタラクティブ方式デバイスに表示し、
ユーザーによって連動されたときにコンタクトレンズの前記少なくとも１つのグラフィック表示を修正するように構成される少なくとも１つのレンズ操作ツールを、ユーザーインタラクティブ方式デバイスに表示する、
ように前記プロセッサによって動作可能である、インタラクティブ方式コンタクトレンズシミュレーションシステム。
（２）  前記デジタル画像が、ヒトの右目のグラフィック表示とヒトの左目のグラフィック表示とを含み、コンタクトレンズの前記少なくとも１つのグラフィック表示が、右コンタクトレンズのグラフィック表示と左コンタクトレンズのグラフィック表示とを含むものである、実施態様１に記載のインタラクティブ方式コンタクトレンズシミュレーションシステム。
（３）  前記少なくとも１つの画像操作ツールが、サイズ、位置、エンハンスメント、ズーム、輝度、透視角、フレームタイプ、線、形状、色、バリュー、テクスチャ、パターン、光度、及びホログラフィー効果からなる群から選択される、実施態様１に記載のインタラクティブ方式コンタクトレンズシミュレーションシステム。
（４）  前記少なくとも１つのレンズ操作ツールが、左サイズ、右サイズ、左瞼調整、右瞼調整、左右サイズ同期、左右瞼調整同期、レンズ色、スタイル、エンハンスメント、及び透明性からなる群から選択される、実施態様１に記載のインタラクティブ方式コンタクトレンズシミュレーションシステム。
（５）  前記ユーザーインタラクティブ方式デバイスが、前記デジタル画像を格納するように構成されるデータベースを更に含む、実施態様１に記載のインタラクティブ方式コンタクトレンズシミュレーションシステム。
（６）  ダウンロードツールを表示するために前記プロセッサによって動作される実行可能コードを更に含むものであり、前記ダウンロードツールが、ユーザーのコンピュータと通信してデジタル画像を格納するように構成される、実施態様１に記載のインタラクティブ方式コンタクトレンズシミュレーションシステム。
（７）  印刷ツールを表示するために前記プロセッサによって動作される実行可能コードを更に含むものであり、前記印刷ツールが、ユーザーのコンピュータと通信してデジタル画像を印刷するように構成される、実施態様１に記載のインタラクティブ方式コンタクトレンズシミュレーションシステム。
（８）  前記デジタル画像が、デジタル画像ファイル、デジタルビデオファイルフレーム、デジタルビデオフィードフレーム、及びデジタルビデオストリームフレームからなる群から選択される、実施態様１に記載のインタラクティブ方式コンタクトレンズシミュレーションシステム。
（９）  前記デジタル画像が、一連のデジタル画像であり、前記一連のデジタル画像が、デジタルビデオファイル、デジタルビデオフィード、及びデジタルビデオストリームからなる群から選択される、実施態様１に記載のインタラクティブ方式コンタクトレンズシミュレーションシステム。
（１０）  少なくとも１つの共有ツールを表示するために前記プロセッサにより動作される実行可能コードを更に含むものである、実施態様１に記載のインタラクティブ方式コンタクトレンズシミュレーションシステム。
【００２５】
（１１）  インタラクティブ方式コンタクトレンズシミュレーション方法において、
目の少なくとも１つの表示を含む少なくとも１つのデジタル画像をユーザーから受信することと、
前記少なくとも１つのデジタル画像を表示するように構成されるビューイングエリアを提供することと、
前記少なくとも１つのデジタル画像を修正するように構成される少なくとも１つの画像操作入力をユーザーから受信することと、
ユーザーによって移動可能なように構成されるコンタクトレンズの少なくとも１つのグラフィック表示を提供することと、
コンタクトレンズの前記少なくとも１つのグラフィック表示を修正するように構成される少なくとも１つのレンズ操作入力をユーザーから受信することと、を含む、インタラクティブ方式コンタクトレンズシミュレーション方法。
（１２）  目の前記少なくとも１つの表示が、右目の表示と左目の表示とを含み、コンタクトレンズの前記少なくとも１つのグラフィック表示が、右コンタクトレンズのグラフィック表示と左コンタクトレンズのグラフィック表示とを含む、実施態様１１に記載のインタラクティブ方式コンタクトレンズシミュレーション方法。
（１３）  前記少なくとも１つの画像操作入力が、サイズ、位置、エンハンスメント、ズーム、輝度、透視角、フレームタイプ、線、形状、色、バリュー、テクスチャ、パターン、光度、及びホログラフィー効果からなる群から選択される、実施態様１１に記載のインタラクティブ方式コンタクトレンズシミュレーション方法。
（１４）  前記少なくとも１つのレンズ操作入力が、左サイズ、右サイズ、左瞼調整、右瞼調整、左右サイズ同期、左右瞼調整同期、色、スタイル、エンハンスメント、透明性、線、形状、バリュー、テクスチャ、パターン、光度、及びホログラフィー効果からなる群から選択される、実施態様１１に記載のインタラクティブ方式コンタクトレンズシミュレーション方法。
（１５）  前記デジタル画像をデータベースに格納することを更に含む、実施態様１１に記載のインタラクティブ方式コンタクトレンズシミュレーション方法。
（１６）  前記デジタル画像を前記データベースから回収することを更に含む、実施態様１５に記載のインタラクティブ方式コンタクトレンズシミュレーション方法。
（１７）  ダウンロード入力をユーザーから受信することを更に含み、前記ダウンロード入力が、ユーザーのコンピュータに前記デジタル画像を格納するように構成される、実施態様１１に記載のインタラクティブ方式コンタクトレンズシミュレーション方法。
（１８）  印刷入力をユーザーから受信することを更に含み、前記印刷入力が、前記デジタル画像を印刷するためにユーザーのコンピュータと通信するように構成される、実施態様１１に記載のインタラクティブ方式コンタクトレンズシミュレーション方法。
（１９）  前記少なくとも１つのデジタル画像が、デジタル画像ファイル、デジタルビデオファイルフレーム、デジタルビデオフィードフレーム、デジタルビデオストリームフレーム、デジタルビデオファイル、デジタルビデオフィード、及びデジタルビデオストリームからなる群から選択される、実施態様１１に記載のインタラクティブ方式コンタクトレンズシミュレーション方法。
（２０）  少なくとも１つの共有入力をユーザーから受信することを更に含む、実施態様１１に記載のインタラクティブ方式コンタクトレンズシミュレーション方法。
【図１】
2010211210.tif 000003
【図２】
2010211210.tif 000004
【図３】
2010211210.tif 000005
【図４】
2010211210.tif 000006
【図５】
2010211210.tif 000007
【図６】
2010211210.tif 000008
【図７】
2010211210.tif 000009
【図８】
2010211210.tif 000010
【図９】
2010211210.tif 000011
【外国語明細書】
2010211210000001.pdf